(57)【要約】      （修正有）【課題】簡単な構成でテーブルとしても使用できるテーブル兼用チェアの構造を得る。【解決手段】枠体フレーム１０を袋状の布３０で包み込んで覆うことにより構成されるテーブル兼用チェアであって、前記枠体フレームは、四角形枠体１１と、この四角形枠体の対向する両側辺にそれぞれ直角に延設された各方形枠体１２とを有し、前記四角形枠体内に座板２０を装着するとともに、一方の方形枠体に天板５０を装着する一方、前記天板が装着された方形枠体の側辺に一対のチェア用脚部４１を固定し、他方の方形枠体の側辺両端側にキャスター部４２をそれぞれ固定し、前記円盤状客部固定側の四角形枠体の側辺に一対のテーブル用脚部４３を固定して構成する。【選択図】図１
0003120113.tif 000002
【実用新案登録請求の範囲】
【請求項１】
枠体フレームを袋状の布で包み込んで覆うことにより構成されるテーブル兼用チェアであって、
前記枠体フレームは、四角形枠体と、この四角形枠体の対向する両側辺にそれぞれ直角に延設された各方形枠体とを有し、
前記四角形枠体内に座板を装着するとともに、一方の方形枠体に天板を装着する一方、
前記天板が装着された方形枠体の側辺に一対のチェア用脚部を固定し、
他方の方形枠体の側辺両端側に円盤状脚部をそれぞれ固定し、
前記円盤状客部固定側の四角形枠体の側辺に一対のテーブル用脚部を固定して成ることを特徴とするテーブル兼用チェア。
【考案の詳細な説明】
【技術分野】
【０００１】
本考案は、人が座ることが可能なチェアに関し、特に、床面に対して載置する向きを変えることにより、チェアをテーブルとしても使用できるテーブル兼用チェアの構造に関する。
【背景技術】
【０００２】
チェア及びテーブルは、それぞれ機能が異なるので、通常は異なる外観形状で別個に製造されている。
その一方、チェア及びテーブルは、室内等において同時に使用されることが多いため、それぞれを複数個配置するような場所においては、兼用できる構造のものが便利な場合があった。
【０００３】
そこで、例えば特許文献１に示すように、通常のイスの側面にテーブルの天板となる板を装着し、載置する向きを変えることでイスとテーブルのどちらにも使用できる構造物が提案されていた。
【０００４】
【特許文献１】特開平６−３３９４１８
【考案の開示】
【考案が解決しようとする課題】
【０００５】
しかしながら、特許文献１に記載されているイス及びテーブル兼用の構造物であると、構造が複雑化し大型するという問題点があった。
【０００６】
本考案は上記実情に鑑みてなされたもので、簡単な構成でテーブルとしても使用できるテーブル兼用チェアの構造を提供することを目的とする。
【課題を解決するための手段】
【０００７】
上記目的を達成するため本考案は、枠体フレーム１０を袋状の布３０で包み込んで覆うことにより構成されるテーブル兼用チェアであって、次の構成を含むことを特徴としている。
前記枠体フレーム１０は、四角形枠体１１と、この四角形枠体１１の対向する両側辺にそれぞれ直角に延設された各方形枠体１２，１２とを有している。
前記四角形枠体１１内に座板２０を装着するとともに、一方の方形枠体に天板５０を装着する。
前記天板５０が装着された方形枠体１２の側辺に一対のチェア用脚部４１を固定する。
他方の方形枠体１２の側辺両端側にキャスター部（円盤状脚部）４２をそれぞれ固定する。
前記円盤状客部固定側の四角形枠体１１の側辺に一対のテーブル用脚部４３を固定する。
【考案の効果】
【０００８】
本考案によれば、枠体フレーム１０に対して布３０で包み込んで覆うという簡単な構造で構成され、円盤状脚部４２及びチェア用脚部４１が床面上に位置するように載置すれば、チェア用脚部４１が装着された一方の方形枠体１２に対して直角に延設された四角形枠体１１の座板２０を上面とするチェアとして使用できる。
また、キャスター部（円盤状脚部）４２及びテーブル用脚部４３が床面上に位置するように載置すれば、四角形枠体１１に対して直角に延設された一方の方形枠体１２の天板５０を上面とするテーブルとして使用できる。
したがって、キャスター部（円盤状脚部）４２をチェア及びテーブルの脚として兼用できるので、簡単な構成でテーブルとして使用できるチェアの構造とすることができる。
【考案を実施するための最良の形態】
【０００９】
本発明の実施の形態の一例としてのテーブル兼用チェアについて、図１乃至図３を参照しながら説明する。
本考案のテーブル兼用チェアは、図３に示すような枠体フレーム１０と、この枠体フレーム１０を包み込む可能なように枠体フレームの形状に沿って袋状に立体的に形成された布３０と、から構成されている。
【００１０】
枠体フレーム１０は、四本の棒状パイプがそれぞれ直角に連結された四角形枠体１１と、この四角形枠体１１の構成部品である対向する棒状パイプ１１ａ，１１ａに対して３本の棒状パイプをコ字状に連結することで、四角形枠体１１の両側辺にそれぞれ直角に方形枠体１２，１２を延設している。
四角形枠体１１を構成する棒状パイプ１１ｂ，１１ｂには、後述する座板２０固定用の支持片１３、１３が内側方向に突出するようにそれぞれ設けられている。支持片１３には穴１４が形成され、この穴を介してボルト（図示せず）が座板２０の裏面に固定されることで、四角形枠体１１内に座板２０が装着固定されている。
【００１１】
座板２０は、強度が確保された厚さを有する正方形状の木質系ボード２１上に、座面としてのクッション性を良好にするため樹脂製で形成された同一形状のウレタンボード２２を配置した二層構造で構成されている。
【００１２】
一方の方形枠体１２の側辺側には、一対のチェア用脚部４１，４１が装着固定されている。チェア用脚部４１は、円盤体４１ａの中心から軸部４１ｂが突出形成されるもので、円盤体４１ａの底面が座板２０面と平行になるように、軸部４１ｂの先端側が方形枠体１２を構成する棒状パイプ１２ａの端部に形成された穴１２ｂに固定するようになっている。
また、この方形枠体１２側の棒状パイプ１１ａと、この棒状パイプ１１ａに平行して対向する方形枠体１２を構成する棒状パイプには、それぞれ内側面側に後述する天板５０の固定用の支持板１６、１６が延設されている。
【００１３】
他方の方形枠体１２の側辺両端側には、車輪状のキャスター部４２がそれぞれ装着されている。キャスター部４２は、円盤体４２ａを軸部４２ｂにより棒状パイプ１２の端部の孔１２ｂに回転することなく固定されるようになっている。円盤体４２ａの周囲は車輪状の樹脂体（ナイロン樹脂の上にウレタン樹脂を巻いた二層構造）で構成されている。また、円盤体４２ａの外側中心には、円形の蓋体４２が嵌合されるようになっている。
また、四角形枠体１１を構成する棒状パイプ１１ｂのキャスター部４２装着側には、前記したチェア用脚部４１と同様に、円盤体４３ａ及び軸部４３ｂを備えた一対のテーブル用脚部４３が、それぞれ棒状パイプ１１ｂの端部の孔１１ｃに固定されている。
【００１４】
上記構造の枠体フレーム１０に対して、これを包み込み可能なように枠体フレームの形状に沿って立体形成された布３０が被覆されている。この布３０は、枠体フレーム１０全体、すなわち、四角形枠体１１、及びその両側の方形枠体１２を包み込むとともに、枠体フレーム１０において方形枠体１２が形成されていない側の側面部分を覆うような袋状で形成されている。
布３０において、枠体フレーム１０の側面部分の布形状は、中央にＶ字型の谷状が形成された形状となっており、その形状が両方の側面部分で繋がるような袋体で構成されている。
【００１５】
また、布３０において、四角形枠体１１を覆う以外の部分には、方形枠体１２を被覆する中央部、及び前記谷状に沿った中央部を横断するようにファスナー３１が設けられている。したがって、ファスナー３１を開き、枠体フレーム１０に被せた後にファスナーを閉じることで、布３０で枠体フレーム１０全体を包み込むようにしている。
【００１６】
布３０で枠体フレーム１０を被覆した後に、チェア用脚部４１、キャスター部４２、テーブル用脚部４３をそれぞれ装着し、更に、方形枠体１２における布３０の上から天板５０を方形枠体１２の支持板１６に対して載置し、天板５０の四隅をネジ５４により支持板１６に形成された穴１７に固定することでチェアとしての使用状態である図１、及び、テーブルとしての使用状態である図２に示すようなテーブル兼用チェアを構成する。
天板５０は、多数の孔５２が配列して穿孔された金属板５１と、この上に載置される透明のアクリル樹脂板５３から構成されている。透明のアクリル樹脂板５３を使用することで、下方の金属板５１の多数の孔５２がデザインとして表れるようになっている。
【００１７】
図４は、テーブル兼用チェアの実施の形態の他の例を示すもので、図１〜図３の構成と同一構成をとる部分については、同一符号を付して詳細な説明を省略する。
このテーブル兼用チェアでは、図１乃至図３と異なり、枠体フレーム１０を布３０で被覆する前に木質系ボードで構成された天板６０を支持体１６，１６間に装着しておく。そのため、テーブル兼用チェアをテーブルとして使用する場合には、天板６０上を被覆する布３０が表面に表れることになる。
【００１８】
上記各例のテーブル兼用チェアによれば、円盤状脚部４２及びチェア用脚部４１が床面上に位置するように載置すれば、チェア用脚部４１が装着された一方の方形枠体１２に対して直角に延設された四角形枠体１１の座板２０を上面とするチェアとして使用できる（図１の状態）。
また、円盤状脚部４２及びテーブル用脚部４３が床面上に位置するように載置すれば、四角形枠体１１に対して直角に延設された一方の方形枠体１２の天板５０（６０）を上面とするテーブルとして使用できる（図２の状態）。
【図面の簡単な説明】
【００１９】
【図１】本考案のテーブル兼用チェアの一例を示すもので、チェアとしての使用状態を示す斜視説明図である。
【図２】本考案のテーブル兼用チェアの一例を示すもので、テーブルとしての使用状態を示す斜視説明図である。
【図３】本考案のテーブル兼用チェアの組立状態を示す組立斜視説明図である。
【図４】他の例のテーブル兼用チェアの組立状態を示す組立斜視説明図である。
【符号の説明】
【００２０】
１０  枠体フレーム
１１  四角形枠体
１２  方形枠体
１３  支持片
１６  支持体
２０  座板
２１  金属板
２２  樹脂板
３０  布
４１  チェア用脚部
４２  キャスター部
４３  テーブル用脚部
５０  天板
５１  木質系ボード
５３  ウレタンボード
６０  天板
【図１】
0003120113.tif 000003
【図２】
0003120113.tif 000004
【図３】
0003120113.tif 000005
【図４】
0003120113.tif 000006